(57)【要約】【課題】客観的な評価に基づいて、より状況に合った撮影パラメータを提供することが可能な情報処理装置、システム、および記憶媒体を提供する。【解決手段】クライアント端末から画像を取得する取得部と、撮影パラメータおよび客観的評価が付与されている画像を記憶する記憶部と、前記取得部により取得した画像の撮像環境と類似する撮像環境の画像を、前記記憶部に記憶されている画像から特定する特定部と、前記特定部により特定された画像のうち、前記客観的評価に基づいて選択された画像の撮影パラメータを前記クライアント端末に送信する送信部と、を備える、情報処理装置。【選択図】図１
2013179742.tif 000002
【特許請求の範囲】
【請求項１】
クライアント端末から画像を取得する取得部と、
撮影パラメータおよび客観的評価が付与されている画像を記憶する記憶部と、
前記取得部により取得した画像の撮像環境と類似する撮像環境の画像を、前記記憶部に記憶されている画像から特定する特定部と、
前記特定部により特定された画像のうち、前記客観的評価に基づいて選択された画像の撮影パラメータを前記クライアント端末に送信する送信部と、
を備える、情報処理装置。
【請求項２】
前記特定部は、前記取得した画像と前記記憶されている画像をマッチングすることにより、前記類似する撮像環境の画像を特定する、請求項１に記載の情報処理装置。
【請求項３】
前記特定部は、前記取得した画像および前記記憶されている画像に各々付与されている撮像位置情報に基づいて、前記類似する撮像環境の画像を特定する、請求項１に記載の情報処理装置。
【請求項４】
前記撮像位置情報は、前記画像に付与されているタイトル情報から推定される、請求項３に記載の情報処理装置。
【請求項５】
前記特定部は、前記取得した画像および前記記憶されている画像に各々付与されている天候情報、時間情報、季節情報、日付情報、または照度情報に基づいて、前記類似する撮像環境の画像を特定する、請求項１に記載の情報処理装置。
【請求項６】
前記客観的評価は、前記画像に対する客観的評価である、請求項１に記載の情報処理装置。
【請求項７】
前記客観的評価は、前記画像の撮影パラメータに対する客観的評価である、請求項１に記載の情報処理装置。
【請求項８】
前記撮影パラメータは、シャッター速度、絞り、ＥＶシフト、ＩＳＯ感度、露出モード、ホワイトバランス、色強調、彩度、コントラスト、シャープネス、またはフラッシュ撮影ＯＮ／ＯＦＦの少なくともいずれかである、請求項１に記載の情報処理装置。
【請求項９】
前記送信部は、前記特定部により特定された画像のうち、クライアント端末と同一メーカー、同一機種、または同一機種群の撮像装置により撮像された画像から、前記客観的評価に基づいて選択された画像の撮影パラメータを前記クライアント端末に送信する、請求項１に記載の情報処理装置。
【請求項１０】
クライアント端末から画像を取得する取得部と；
撮影パラメータおよび客観的評価が付与されている画像を記憶する記憶部と；
前記取得部により取得した画像の撮像環境と類似する撮像環境の画像を、前記記憶部に記憶されている画像から特定する特定部と；
前記特定部により特定された画像のうち、前記客観的評価に基づいて選択された画像の撮影パラメータを前記クライアント端末に送信する送信部と；
を有する情報処理装置と、
被写体を撮像する撮像部と；
前記撮像部により撮像した画像、および撮像時の撮影パラメータを前記情報処理装置に送信する送信部と；
前記情報処理装置により選択された画像の撮影パラメータを受信する受信部と；
を有するクライアント端末と、
を備える、システム。
【請求項１１】
コンピュータに、
クライアント端末から画像を取得する処理と、
前記取得する処理により取得した画像の撮像環境と類似する撮像環境の画像を、記憶部に記憶されている撮影パラメータおよび客観的評価が付与された画像から特定する処理と、
前記特定する処理により特定された画像のうち、前記客観的評価に基づいて選択された画像の撮影パラメータを前記クライアント端末に送信する処理と、
を実行させるためのプログラムが記憶された、記憶媒体。
【発明の詳細な説明】
【技術分野】
【０００１】
本開示は、情報処理装置、システム、および記憶媒体に関する。
【背景技術】
【０００２】
近年、被写体画像をデジタル画像信号として記憶媒体に記憶して保存するデジタルカメラやデジタルビデオカメラが普及している。このようなカメラで撮影を行う際、周囲の環境や状況に応じて、カメラの各撮影パラメータを適切に設定する必要がある。【０００３】
しかし、各撮影パラメータをマニュアルで適切に設定することは一般的なユーザにとって困難であるので、通常、デジタルカメラ等には、環境に応じた撮影パラメータが自動的に設定されるオート機能が搭載されている。例えば、下記特許文献１〜２では、被写体に応じた適切な撮影パラメータを自動的に設定する撮像装置が提案されている。【０００４】
また、下記特許文献３には、指定された被写体に応じた撮影パラメータを提示する技術が提案され、下記特許文献４、５には、ユーザの好みに応じた撮影条件を容易に設定する技術が提案されている。また、下記特許文献６には、所定の場所において、所定の時間帯に最適な撮影パラメータを送信し続ける撮影情報提供装置が提案されている。【０００５】
また、下記特許文献７には、観光地等で、ガイドブックやポスター等の手本画像と同じ画像を撮影するための撮影位置をユーザに提示する撮影システムが提案されている。
【先行技術文献】
【特許文献】
【０００６】
【特許文献１】特開２００５−１８４６１０号公報
【特許文献２】特開２０１１−１０３５４８号公報
【特許文献３】特開２０１１−１０２７３号公報
【特許文献４】特開２０１１−１８８３１８号公報
【特許文献５】特開２００３−３３３４９８号公報
【特許文献６】特許４６０９３３８号公報
【特許文献７】特開２００８−２８８８８１号公報
【発明の概要】
【発明が解決しようとする課題】
【０００７】
しかし、上記特許文献１〜２では、予め設定された一定の範囲内で撮影パラメータを設定するので単純な構図には対応できるが、逆光の構図や複雑な構図等において最適な撮影パラメータを設定することは困難であった。【０００８】
また、上記特許文献３では、一部の被写体に最適な撮影パラメータの取得について言及されているが、撮影画像全体のバランスを考慮した最適な撮影パラメータの取得については特に言及されていない。【０００９】
また、上記特許文献４〜７において取得できる撮影パラメータや撮影条件は、予め画一的に決定されたもの（若しくはその中から選択したもの）であるので、他者の評価に応じた最適な撮影パラメータを取得することはできなかった。【００１０】
そこで、本開示では、客観的な評価に基づいて、より状況に合った撮影パラメータを提供することが可能な、新規かつ改良された情報処理装置、システム、および記憶媒体を提案する。
【課題を解決するための手段】
【００１１】
本開示によれば、クライアント端末から画像を取得する取得部と、撮影パラメータおよび客観的評価が付与されている画像を記憶する記憶部と、前記取得部により取得した画像の撮像環境と類似する撮像環境の画像を、前記記憶部に記憶されている画像から特定する特定部と、前記特定部により特定された画像のうち、前記客観的評価に基づいて選択された画像の撮影パラメータを前記クライアント端末に送信する送信部と、を備える情報処理装置を提案する。【００１２】
本開示によれば、クライアント端末から画像を取得する取得部と、撮影パラメータおよび客観的評価が付与されている画像を記憶する記憶部と、前記取得部により取得した画像の撮像環境と類似する撮像環境の画像を、前記記憶部に記憶されている画像から特定する特定部と、前記特定部により特定された画像のうち、前記客観的評価に基づいて選択された画像の撮影パラメータを前記クライアント端末に送信する送信部と、を有する情報処理装置と、被写体を撮像する撮像部と、前記撮像部により撮像した画像、および撮像時の撮影パラメータを前記情報処理装置に送信する送信部と、前記情報処理装置により選択された画像の撮影パラメータを受信する受信部と、を有するクライアント端末と、を備えるシステムを提案する。【００１３】
本開示によれば、コンピュータに、クライアント端末から画像を取得する処理と、前記取得する処理により取得した画像の撮像環境と類似する撮像環境の画像を、記憶部に記憶されている撮影パラメータおよび客観的評価が付与された画像から特定する処理と、前記特定する処理により特定された画像のうち、前記客観的評価に基づいて選択された画像の撮影パラメータを前記クライアント端末に送信する処理と、を実行させるためのプログラムが記憶された、記憶媒体を提案する。
【発明の効果】
【００１４】
以上説明したように本開示によれば、客観的な評価に基づいて、より状況に合った撮影パラメータを提供することが可能となる。
【図面の簡単な説明】
【００１５】
【図１】本開示の一実施形態による撮影パラメータ選択システムの概要を説明するための図である。
【図２】本実施形態によるデジタルカメラの構成を示すブロック図である。
【図３】本実施形態によるサーバの構成を示す図である。
【図４】本実施形態による撮影画像ＤＢが記憶する画像ファイルのデータ構成を示す図である。
【図５】本実施形態による特定部が季節および撮影時間に基づいて撮影環境が類似する画像を特定することを説明するための図である。
【図６】本実施形態による撮影パラメータ選択システムの動作処理を示すフローチャートである。
【図７】本実施形態による撮影パラメータ選択基準の決定処理を示すフローチャートである。
【図８】本実施形態による撮影パラメータ評価の動作処理を示すフローチャートである。
【図９】本実施形態によるユーザの満足度を入力するための操作画面の一例を示す図である。
【発明を実施するための形態】
【００１６】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１７】
また、説明は以下の順序で行うものとする。
１．本開示の一実施形態による撮影パラメータ選択システムの概要
２．基本構成
２−１．デジタルカメラの構成
２−２．サーバの構成
３．動作処理
４．まとめ
【００１８】
＜１．本開示の一実施形態による撮影パラメータ選択システムの概要＞
まず、本開示の一実施形態による撮影パラメータ選択システムの概要について図１を参照して説明する。
【００１９】
図１は、本開示の一実施形態による撮影パラメータ選択システムの概要を説明するための図である。図１に示すように、本実施形態による撮影パラメータ選択システムは、デジタルカメラ１およびサーバ３０を含む。デジタルカメラ１は、例えば無線／有線通信によりネットワークに接続し、さらにネットワーク上のサーバ３０に接続することができる。
【００２０】
また、本実施形態によるデジタルカメラ１には、図１に示すように、シャッターボタン２、ＭＯＶＩＥ（動画）ボタン４、再生ボタン５、ダイヤルボタン６、および表示部１６が設けられる。また、図１に示す表示部１６が設けられた面と対向する面には、フラッシュや撮像レンズが設けられている（不図示）。
【００２１】
図１に示すデジタルカメラ１は、動作モードを、例えば静止画撮影モード、動画撮影モード、または再生モードに切り替えることが可能である。静止画撮影モードの場合、デジタルカメラ１は、シャッターボタン２が押下されたタイミングに応じて、撮像レンズにより撮像した静止画像データ（写真）をメモリに記憶する。
【００２２】
また、動画撮影モードの場合、デジタルカメラ１は、ＭＯＶＩＥボタン４が押下されたタイミングに応じて動画撮影を開始し、撮像レンズにより撮像した動画データ（ビデオ）をメモリに記憶する。
【００２３】
また、再生ボタン５が押下されると、デジタルカメラ１は、動作モードを再生モードに切り替え、メモリに記憶された静止画像データおよび動画データを含む各画像データを表示部１６に表示する。
【００２４】
撮影モード（静止画／動画）の場合、ユーザは、ダイヤルボタン６等を操作して各撮影パラメータをマニュアルで設定してもよいし、オート機能を用いて設定してもよい。通常、一般的なユーザはオート機能を用いて各撮影パラメータを設定する。そして、撮影した画像（撮影画像２０）は、図１に示すように、表示部１６に表示され、ユーザは撮影した画像をすぐに確認することができる。
【００２５】
ここで、通常のオート機能では、周囲の明るさやフォーカスする被写体に応じて、失敗がない一定の範囲内で撮影パラメータが設定され、ブレる等の失敗がない撮影画像が取得できるが、このような撮影画像は特徴や個性がなく、迫力に欠けてしまうことも多かった。また、通常のオート機能は、単純な構図には対応できても、夕焼けや朝焼け等の逆光構図や複雑な構図には対応できず、最適な撮影パラメータを設定することが困難であった。
【００２６】
そこで、本開示の一実施形態によるデジタルカメラ１は、図１に示すように、撮影画像２０、または／および撮影環境を示す情報（撮影位置情報や撮影日時情報等）をサーバ３０に送信し、サーバ３０から最適な撮影パラメータを取得することができる。
【００２７】
一方、サーバ３０は、予め１以上のユーザ８Ａ〜８Ｃから収集した客観的評価が付与された画像を有する。そして、サーバ３０は、受信した撮影画像２０と類似する環境において撮影された画像であって、客観的評価が高い画像の撮影パラメータをデジタルカメラ１に返信する。
【００２８】
これにより、本実施形態による撮影パラメータ変更システムは、客観的な評価に基づいて、より状況に合った撮影パラメータを提供することが可能となる。
【００２９】
なお、本明細書において、各撮影パラメータとは、例えばフラッシュＯＮ／ＯＦＦ、シャッタースピード、ＩＳＯ感度、絞り（Ｆ値）、ＥＶ（Ｅｘｐｏｓｕｒｅ  Ｖａｌｕｅ）シフト、露出モード、ホワイトバランス、色強調、彩度、コントラスト、シャープネス等である。
【００３０】
以下、このような本開示による撮影パラメータ選択システムについて詳細に説明する。なお、本実施形態では、撮影パラメータ選択システムを実現する情報処理装置の一例としてサーバ３０を示す。また、本実施形態では、撮影パラメータ選択システムを実現するクライアント端末の一例としてデジタルカメラ１を示すが、本開示によるクライアント端末の例はこれに限定されない。例えば、本実施形態によるクライアント端末は、デジタルビデオカメラ、カメラ付きのスマートフォン、ＰＤＡ（Ｐｅｒｓｏｎａｌ  Ｄｉｇｉｔａｌ  Ａｓｓｉｓｔａｎｔｓ）、ＰＣ（Ｐｅｒｓｏｎａｌ  Ｃｏｍｐｕｔｅｒ）、携帯電話、携帯用音楽再生装置、携帯用映像処理装置または携帯用ゲーム機器等であってもよい。
【００３１】
＜２．基本構成＞
次に、本開示の一実施形態による撮影パラメータ変更システムに含まれるデジタルカメラ１およびサーバ３０の各構成について順次説明する。
【００３２】
［２−１．デジタルカメラの構成］
図２は、本実施形態によるデジタルカメラ１の構成を示すブロック図である。図２に示すように、デジタルカメラ１は、ＣＰＵ１０、ＲＯＭ１１、ＲＡＭ１２、カメラモジュール１３、操作検出部１４、ＧＰＳ測位部１５、表示部１６、ネットワークＩ／Ｆ１７、記憶メディア１８、および時計部１９を有する。以下、各構成について具体的に説明する。
【００３３】
カメラモジュール１３は、撮像素子、撮像レンズを含む撮像光学系、および撮影画像信号処理部を含み、デジタル信号とされた撮影画像のデータを出力する。なお、撮像素子は、例えばＣＣＤ（Ｃｈａｒｇｅ  Ｃｏｕｐｌｅｄ  Ｄｅｖｉｃｅ）イメージャやＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージャにより実現される。
【００３４】
カメラモジュール１３の各撮影パラメータ（フラッシュＯＮ／ＯＦＦ、シャッタースピード、ＩＳＯ感度、絞り（Ｆ値）、ＥＶシフト、露出モード、ホワイトバランス、色強調、彩度、コントラスト、シャープネス等）は、マニュアルまたはオートで設定されてもよい。また、本実施形態による撮影パラメータ選択システムにおいて、カメラモジュール１３の各撮影パラメータは、サーバ３０から受信した撮影パラメータに設定されてもよい。
【００３５】
操作検出部１４は、ユーザによるカメラ操作を検出する検出部である。ユーザによるカメラ操作は、例えば、図１に示すように、デジタルカメラ１に物理的に設けられたシャッターボタン２、ＭＯＶＩＥボタン４、ダイヤルボタン６、および再生ボタン５等により検出される。また、操作検出部１４は、表示部１６に表示される画面に対するユーザのタッチ位置を検知するタッチパネルにより操作を検出してもよい。
【００３６】
ＧＰＳ（Ｇｌｏｂａｌ  Ｐｏｓｉｔｉｏｎｉｎｇ  Ｓｙｓｔｅｍ）測位部１５は、ＧＰＳ衛星からの電波を受信して、デジタルカメラ１が存在している位置を検知し、検知した位置情報を出力する。なお、ＧＰＳ測位部１５は、外部からの取得信号に基づいてデジタルカメラ１の位置を検知する位置情報取得部の一例であって、本実施形態による位置情報取得部の例はこれに限定されない。例えば、位置情報取得部は、ＷｉＦｉ、携帯電話・ＰＨＳ・スマートフォン等との送受信、または近距離通信等により位置を検知するものであってもよい。
【００３７】
表示部１６は、メニュー画面や各種操作画面等の他、カメラモジュール１３から出力された撮影画像をリアルタイムに表示したり、記憶メディア１８に記憶されている画像データ（静止画像データ／動画像データ）を表示（再生）したりする。また、表示部１６は、例えばＬＣＤ（Ｌｉｑｕｉｄ  Ｃｒｙｓｔａｌ  Ｄｉｓｐｌａｙ）またはＯＬＥＤ（Ｏｒｇａｎｉｃ  Ｌｉｇｈｔ−Ｅｍｉｔｔｉｎｇ  Ｄｉｏｄｅ）などにより実現される。
【００３８】
ネットワークＩ／Ｆ１７は、外部装置とデータ通信を行うための通信インターフェースである。
【００３９】
記憶メディア１８は、撮影画像を記憶する画像記憶部であって、例えばカード型メモリなどのフラッシュメモリや、ＤＶＤ（Ｄｉｇｉｔａｌ Ｖｅｒｓａｔｉｌｅ Ｄｉｓｃ）などの記録媒体により実現される。記憶メディア１８は、カメラモジュール１３から連続的に出力される撮影画像を、シャッターボタン２の操作タイミングに応じて、静止画像データ（写真）として記憶してもよい。また、記憶メディア１８は、カメラモジュール１３から連続的に出力される撮影画像を、ＭＯＶＩＥボタン４の操作タイミングに応じて、動画像データ（ビデオ）として記憶してもよい。
【００４０】
なお、記憶メディア１８は、静止画像データ／動画像データを記憶する際に、時計部１９から出力される日時情報を、撮影日時情報として静止画像データ／動画像データに付与して記憶してもよい。また、記憶メディア１８は、静止画像データ／動画像データを記憶する際に、ＧＰＳ測位部１５から出力される位置情報を、撮影位置情報として静止画像データ／動画像データに付与して記憶してもよい。
【００４１】
時計部１９は、現在の時刻や日付を示す日時情報を出力する。
【００４２】
ＣＰＵ１０は、デジタルカメラ１の各構成を制御する主制御部である。例えば、本実施形態によるＣＰＵ１０（主制御部）は、カメラモジュール１３から出力された撮影画像を、ネットワークＩ／Ｆ１７によりサーバ３０に送信し、最適な撮影パラメータを要求するよう制御してもよい。そして、ＣＰＵ１０は、サーバ３０から受信した撮影パラメータに基づいて、カメラモジュール１３の撮影パラメータを設定するよう制御する。
【００４３】
なお、ＣＰＵ１０は、撮影画像をサーバ３０に送信する際、撮影画像に付与されている撮影日時情報や撮影位置情報等の撮影時の環境に関する環境情報を併せて送信してもよい。
【００４４】
ＲＯＭ１１には、ＣＰＵ１０が撮影パラメータの設定処理を遂行するためのプログラム等が記憶されている。また、ＲＯＭ１１に記憶されているプログラムは、ＣＰＵ１０によりＲＡＭ１２をワークエリアとして用いて実行される。
【００４５】
以上、本実施形態によるデジタルカメラ１の構成について詳細に説明した。続いて、本実施形態によるサーバ３０の構成について図３を参照して説明する。
【００４６】
［２−２．サーバの構成］
図３は、本実施形態によるサーバ３０の構成を示す図である。図３に示すように、本実施形態によるサーバ３０は、通信部３１、特定部３３、撮影画像データベース３５（以下、撮影画像ＤＢ３５と称す）、および選択部３７を有する。
【００４７】
（通信部３１）
通信部３１は、外部装置とデータの送受信を行うインターフェースである。より具体的には、本実施形態による通信部３１は、デジタルカメラ１から撮影画像を受信（取得）し、撮影パラメータの送信要求を受ける。また、通信部３１は、撮影画像と共に、撮影日時情報や撮影位置情報を受信してもよい。また、本実施形態による通信部３１は、後述する選択部３７に選択された画像の撮影パラメータを、撮影パラメータ送信要求元のデジタルカメラ１に送信する。
【００４８】
（撮影画像ＤＢ３５）
撮影画像ＤＢ３５は、撮影パラメータおよび客観的評価が付与されている画像（撮影画像）を記憶する記憶部である。例えば、撮影画像ＤＢ３５は、撮影パラメータおよび客観的評価が付与されている画像データを、画像ファイル４０として記憶する。ここで、撮影画像ＤＢ３５が記憶する画像ファイル４０のデータ構成について図４を参照して説明する。
【００４９】
図４は、撮影画像ＤＢ３５が記憶する画像ファイル４０のデータ構成を示す図である。図４に示すように、本実施形態による画像ファイル４０は、画像データ４１、撮影パラメータ４３、環境情報４５、および評価データ４７を含む。
【００５０】
画像データ４１は、写真または動画といった撮影画像自体のデータである。撮影パラメータ４３は、撮影画像が取得された際の各撮影パラメータの情報である。
【００５１】
環境情報４５は、撮影画像が取得された際の撮影環境に関する情報であって、具体的には、撮影日時情報、撮影位置情報、天候情報、季節情報、照度情報、撮像装置（デジタルカメラ等）のメーカー情報、機種情報、撮像レンズのメーカー情報等である。
【００５２】
なお、撮影位置情報は、ＧＰＳ測位部１５により測位された位置情報の他、撮影画像に付与されたタイトル情報から推定されてもよい。また、撮影日時情報は、時計部１９から出力された日時情報の他、撮影画像に付与されたタイトル情報から推定されてもよい。
【００５３】
また、環境情報４５は、撮影画像の構図情報や、フォーカス対象情報（どの被写体に注目しているかを示す情報）を含んでもよい。なお、構図情報やフォーカス情報は、画像解析結果や撮影パラメータから推定されてもよい。
【００５４】
評価データ４７は、撮影画像に対する撮影者以外の者による客観的評価である。図４に示すように、評価データ４７（客観的評価）には、画像データ４１（撮影画像）に対する客観的評価を示す「撮影画像評価」と、撮影画像の撮影パラメータ４３に対する客観的評価を示す「撮影パラメータ評価」がある。
【００５５】
具体的には、撮影画像評価とは、画像データ４１を閲覧したユーザ（撮影者以外のユーザ）の評価である。さらに、撮影画像評価は、ユーザの評価の他、当該撮影画像の受賞歴や人気度（アクセス回数やランキング）等のデータに基づいて集計されてもよい。
【００５６】
撮影パラメータ評価とは、撮影パラメータ４３に基づいて撮影パラメータを設定し、実際に撮影を行ったユーザの評価である。例えば、高評価を得たダイナミックな撮影画像であっても、その撮影パラメータで実際に撮影を行ってみると平坦な写真になってしまう場合等も想定されるので、撮影画像と撮影パラメータの評価は別に集計されている。
【００５７】
なお、評価データ４７は、各ユーザの評価がポイントに換算された上で集計されたものであってもよい。
【００５８】
（特定部３３）
特定部３３は、デジタルカメラ１から受信した撮影画像の撮影環境と類似する撮影環境の画像を、撮影画像ＤＢ３５に記憶されている画像から特定する。ここで、撮影環境とは、撮影対象である被写体や、撮影時の照度、天候等である。
【００５９】
特定部３３は、例えば画像マッチングにより撮影環境が類似する画像を特定してもよい。
【００６０】
また、特定部３３は、デジタルカメラ１から撮影画像と共に撮影位置情報または撮影日時情報等の環境情報を受信している場合、このような環境情報に基づいて撮影環境が類似する画像を特定してもよい。
【００６１】
具体的には、特定部３３は、デジタルカメラ１から受信した撮影画像の環境情報と、撮影画像ＤＢ３５に記憶されている画像の環境情報４５に基づいて、受信した撮影画像と同じ被写体を撮影した画像であって、さらに撮影場所や撮影時刻が近い撮影画像を特定する。
【００６２】
さらに、特定部３３は、天候情報、季節情報、または照度情報等を考慮し、撮影環境が類似する画像を特定してもよい。例えば、図５に示すように、特定部３３は、撮影画像ＤＢ３５に記憶されている各撮影画像（画像データ）Ｐ１〜Ｐ３３を、環境情報４５に基づいて季節毎に分類した上で、受信した撮影画像と撮影環境（季節および時刻）が類似する画像を特定する。
【００６３】
なお、特定部３３は、撮影画像ＤＢ３５に記憶されている画像に限定せず、ネットワーク上の不特定多数の記憶装置に記憶されている、撮影パラメータおよび客観的評価が付与されている画像から類似環境の画像を特定してもよい。
【００６４】
（選択部３７）
選択部３７は、特定部３３により特定された画像のうち、客観的評価に基づいて画像を選択する。より具体的には、例えば選択部３７は、特定された複数の画像のうち、各画像に付与されている客観的評価（撮影画像評価または撮影パラメータ評価）が最も高い画像を選択する。そして、選択部３７は、選択した画像の撮影パラメータ４３を、通信部３１を介して要求元のデジタルカメラ１に送る。
【００６５】
これにより、サーバ３０は、予め画一的に決定された撮影パラメータや、一部の被写体に最適な撮影パラメータ等ではなく、客観的評価に応じて、より状況に合った最適な撮影パラメータをデジタルカメラ１に返信することができる。
【００６６】
なお、選択部３７が画像を選択する際に基準とする客観的評価を撮影画像評価または撮影パラメータ評価のいずれにするかについては、ユーザ側で決定してもよい。このような選択基準の決定処理については、「３−２．撮影パラメータ選択基準決定処理」において詳細に説明する。
【００６７】
また、本実施形態によるサーバ３０は、選択部３７により選択された画像に付与された撮像装置の機種情報等に基づき、要求元のデジタルカメラ１の機種と異なるか否かを判断してもよい。そして、機種が異なる場合、サーバ３０は、選択された画像の撮影パラメータを、デジタルカメラ１の機種に対応するよう補正した上でデジタルカメラ１に送信してもよい。
【００６８】
以上、本実施形態による撮影パラメータ選択システムを実現するデジタルカメラ１およびサーバ３０の各構成について詳細に説明した。続いて、本実施形態による撮影パラメータ選択システムの動作処理について詳細に説明する。
【００６９】
＜３．動作処理＞
［３−１．撮影パラメータ選択システムの動作処理］
上述したように、本実施形態による撮影パラメータ選択システムにおいて、デジタルカメラ１は、サーバ３０に撮影パラメータの送信要求を行い、サーバ３０は、客観的評価に応じて選択した撮影パラメータをデジタルカメラ１に返信する。そして、デジタルカメラ１は、サーバ３０から受信した撮影パラメータに基づいて撮影パラメータを設定する。以下、このような本実施形態による撮影パラメータ選択システムの動作処理について、図６を参照して具体的に説明する。
【００７０】
図６は、本実施形態による撮影パラメータ選択システムの動作処理を示すフローチャートである。図６に示すように、デジタルカメラ１は、まず、ステップＳ１０３において、被写体を撮影し、次いでステップＳ１０６において、撮影時の環境情報を取得する。撮影時の環境情報は、例えばＧＰＳ測位部１５から出力される位置情報や、時計部１９から出力される日時情報であってもよい。
【００７１】
次に、ステップＳ１０９において、デジタルカメラ１は、撮影画像および環境情報をサーバ３０に送信し、撮影パラメータの送信要求を行う。
【００７２】
次いで、ステップＳ１１２において、サーバ３０の特定部３３は、デジタルカメラ１から取得した撮影画像の撮影環境と類似する撮影環境の画像を特定する。
【００７３】
続いて、ステップＳ１１５において、サーバ３０の選択部３７は、特定された画像のうち客観的評価に基づき、例えば客観的評価を示すポイントが最も高い画像を選択する。
【００７４】
次いで、ステップＳ１１８において、サーバ３０の通信部３１は、選択された画像の撮影パラメータをデジタルカメラ１に送信する。
【００７５】
そして、ステップＳ１２１において、デジタルカメラ１は、受信した撮影パラメータに基づいてカメラモジュール１３の各撮影パラメータを設定する。
【００７６】
これにより、本実施形態によるデジタルカメラ１は、客観的評価に応じた、より状況に合った最適な撮影パラメータを取得し、設定することができる。
【００７７】
なお、デジタルカメラ１は、客観的評価が高い最適な撮影パラメータに設定したことをユーザに通知してもよい。ユーザは、通知を確認した上でシャッターボタン２を押下し、設定した撮影パラメータで被写体を撮影することができる。
【００７８】
［３−２．撮影パラメータ選択基準決定処理］
上述したように、図６に示すステップＳ１１５において、サーバ３０の選択部３７が画像を選択する際の基準とする客観的評価には、撮影画像評価および撮影パラメータ評価がある。選択部３７がいずれの客観的評価に基づいて画像を選択するかは、例えばユーザ側の要求に応じて決定してもよい。以下、このような本実施形態による撮影パラメータ選択基準の決定処理について、図７を参照して具体的に説明する。
【００７９】
図７は、本実施形態による撮影パラメータ選択基準の決定処理を示すフローチャートである。図７に示すように、まず、ステップＳ１１２において、図６に示す同ステップと同様に、サーバ３０の特定部３３は、デジタルカメラ１から取得した撮影画像の撮影環境と類似する撮影環境の画像を特定する。
【００８０】
次いで、ステップＳ１１６において、サーバ３０の選択部３７は、特定された画像のうち、所定の画像の撮影パラメータを選択する。具体的には、ステップＳ１３６において、選択部３７は、デジタルカメラ１からの要求に基づいて客観的評価を主観より重視するか否かを判断する。例えば、デジタルカメラ１は、撮影パラメータの送信要求を行う際、ユーザにより指定された選択基準を示す情報を併せて送信してもよい。
【００８１】
次いで、客観的評価を重視すると判断した場合（Ｓ１３６／Ｙｅｓ）、ステップＳ１４２において、選択部３７は、撮影パラメータ評価を撮影画像評価より重視するか否かを判断する。
【００８２】
次に、撮影パラメータ評価を重視すると判断した場合（Ｓ１４２／Ｙｅｓ）、ステップＳ１４５において、選択部３７は、撮影パラメータ評価が最も高い画像の撮影パラメータを選択する。
【００８３】
一方、撮影パラメータ評価を撮影画像評価より重視しないと判断した場合（Ｓ１４２／Ｎｏ）、ステップＳ１４８において、選択部３７は、撮影画像評価が最も高い画像の撮影パラメータを選択する。
【００８４】
なお、上記ステップＳ１３６において、客観的評価を主観より重視しないと判断した場合（Ｓ１３６／Ｎｏ）、選択部３７は、ユーザの主観に応じて撮影パラメータを選択してもよい。具体的には、例えば特定部３３により特定した画像をデジタルカメラ１に送信し、デジタルカメラ１の表示部１６に表示させ、ユーザによる主観で画像を選択させる。そして、選択部３７は、ユーザにより選択された画像の撮影パラメータを選択する。
【００８５】
［３−３．撮影パラメータ評価処理］
次に、上述した撮影パラメータ評価に関する動作処理について説明する。上述したように、撮影パラメータ評価は、画像データ４１（撮影画像）に付与されている撮影パラメータ４３を実際に用いて撮影したユーザによる評価である。よって、例えば図６に示すステップＳ１２１において撮影パラメータが設定された後、当該撮影パラメータで撮影した画像を評価することで、撮影パラメータの評価を行うことができる。以下、このような本実施形態による撮影パラメータ評価処理について図８を参照して説明する。
【００８６】
図８は、本実施形態による撮影パラメータ評価の動作処理を示すフローチャートである。図８に示すように、まず、ステップＳ１５３において、デジタルカメラ１は、サーバ３０から受信した撮影パラメータで被写体を撮影する。具体的には、デジタルカメラ１は、受信した撮影パラメータでカメラモジュール１３の各撮影パラメータを設定し、ユーザによるシャッターボタン２の押下操作に応じて撮影を行うよう制御する。また、デジタルカメラ１は、撮影した撮影画像を表示部１６に表示する。
【００８７】
次いで、ステップＳ１５６において、デジタルカメラ１は、撮影画像にユーザが満足したか否かを判断する。具体的には、例えば図９に示すように、デジタルカメラ１は、撮影画像５０と共に、満足ボタン５１や、とても満足ボタン５３を表示部１６に表示し、満足ボタン５１、または、とても満足ボタン５３をユーザが選択した場合、ユーザが満足したと判断してもよい。
【００８８】
次に、ステップＳ１５９において、デジタルカメラ１は、撮影画像にユーザがとても満足したか否かを判断する。例えば、図９に示す「とても満足ボタン５３」がユーザにより選択された場合、デジタルカメラ１は、ユーザがとても満足したと判断してもよい。
【００８９】
続いて、ユーザがとても満足していると判断した場合（Ｓ１５９／Ｙｅｓ）、ステップＳ１６２において、デジタルカメラ１は、最優秀評価をサーバ３０に送信する。
【００９０】
一方、ユーザが満足していると判断した場合（Ｓ１５６／Ｙｅｓ、Ｓ１５９／Ｎｏ）、ステップＳ１６５において、デジタルカメラ１は、優秀評価をサーバ３０に送信する。
【００９１】
なお、ユーザが満足していないと判断した場合（Ｓ１５６／Ｎｏ）、ステップＳ１６８において、デジタルカメラ１は、何ら評価を行わないか、またはマイナス評価をサーバ３０に送信してもよい。
【００９２】
＜４．まとめ＞
上述したように、本開示による撮影パラメータ選択システムでは、客観的評価に応じて、より状況に合った最適な撮影パラメータを取得することができる。
【００９３】
より具体的には、例えば本開示の一実施形態によるサーバ３０は、ユーザが撮影した撮影画像の撮影環境と類似する撮影環境の画像であって、撮影画像評価または撮影パラメータ評価等の客観的評価が最も高い画像の撮影パラメータを提供する。これにより、デジタルカメラ１は、客観的評価に基づく最適な撮影パラメータを取得することができる。
【００９４】
以上、添付図面を参照しながら本開示の好適な実施形態について詳細に説明したが、本技術はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【００９５】
例えば、撮影パラメータは、デジタルカメラ１（撮像装置）のメーカー、さらには機種に依存する部分があるので、本実施形態によるサーバ３０は、要求元のデジタルカメラ１のメーカー、機種、または機種群に対応する撮影パラメータを送信することが望まれる。そこで、本実施形態によるサーバ３０の選択部３７は、特定部３３により特定された画像のうち、要求元のデジタルカメラ１と同一メーカー、同一機種、または同一機種群（同一シリーズ）の撮像装置により撮像された画像から、上記客観的評価に基づいて画像を選択し、選択した画像の撮影パラメータをデジタルカメラ１に送ってもよい。これにより、サーバ３０は、要求元のデジタルカメラ１のメーカー、機種、または機種群に対応する撮影パラメータを送信することができる。
【００９６】
なお、本技術は以下のような構成も取ることができる。
（１）
クライアント端末から画像を取得する取得部と、
撮影パラメータおよび客観的評価が付与されている画像を記憶する記憶部と、
前記取得部により取得した画像の撮像環境と類似する撮像環境の画像を、前記記憶部に記憶されている画像から特定する特定部と、
前記特定部により特定された画像のうち、前記客観的評価に基づいて選択された画像の撮影パラメータを前記クライアント端末に送信する送信部と、
を備える、情報処理装置。
（２）
前記特定部は、前記取得した画像と前記記憶されている画像をマッチングすることにより、前記類似する撮像環境の画像を特定する、前記（１）に記載の情報処理装置。
（３）
前記特定部は、前記取得した画像および前記記憶されている画像に各々付与されている撮像位置情報に基づいて、前記類似する撮像環境の画像を特定する、前記（１）または（２）に記載の情報処理装置。
（４）
前記撮像位置情報は、前記画像に付与されているタイトル情報から推定される、前記（３）に記載の情報処理装置。
（５）
前記特定部は、前記取得した画像および前記記憶されている画像に各々付与されている天候情報、時間情報、季節情報、日付情報、または照度情報に基づいて、前記類似する撮像環境の画像を特定する、前記（１）〜（４）のいずれか１項に記載の情報処理装置。
（６）
前記客観的評価は、前記画像に対する客観的評価である、前記（１）〜（５）のいずれか１項に記載の情報処理装置。
（７）
前記客観的評価は、前記画像の撮影パラメータに対する客観的評価である、前記（１）〜（５）のいずれか１項に記載の情報処理装置。
（８）
前記撮影パラメータは、シャッター速度、絞り、ＥＶシフト、ＩＳＯ感度、露出モード、ホワイトバランス、色強調、彩度、コントラスト、シャープネス、またはフラッシュ撮影ＯＮ／ＯＦＦの少なくともいずれかである、前記（１）〜（７）のいずれか１項に記載の情報処理装置。
（９）
前記送信部は、前記特定部により特定された画像のうち、クライアント端末と同一メーカー、同一機種、または同一機種群の撮像装置により撮像された画像から、前記客観的評価に基づいて選択された画像の撮影パラメータを前記クライアント端末に送信する、前記（１）〜（８）のいずれか１項に記載の情報処理装置。
（１０）
クライアント端末から画像を取得する取得部と；
撮影パラメータおよび客観的評価が付与されている画像を記憶する記憶部と；
前記取得部により取得した画像の撮像環境と類似する撮像環境の画像を、前記記憶部に記憶されている画像から特定する特定部と；
前記特定部により特定された画像のうち、前記客観的評価に基づいて選択された画像の撮影パラメータを前記クライアント端末に送信する送信部と；
を有する情報処理装置と、
被写体を撮像する撮像部と；
前記撮像部により撮像した画像、および撮像時の撮影パラメータを前記情報処理装置に送信する送信部と；
前記情報処理装置により選択された画像の撮影パラメータを受信する受信部と；
を有するクライアント端末と、
を備える、システム。
（１１）
コンピュータに、
クライアント端末から画像を取得する処理と、
前記取得する処理により取得した画像の撮像環境と類似する撮像環境の画像を、記憶部に記憶されている撮影パラメータおよび客観的評価が付与された画像から特定する処理と、
前記特定する処理により特定された画像のうち、前記客観的評価に基づいて選択された画像の撮影パラメータを前記クライアント端末に送信する処理と、
を実行させるためのプログラムが記憶された、記憶媒体。
【符号の説明】
【００９７】
１    デジタルカメラ（クライアント端末）
２    シャッターボタン
４    ＭＯＶＩＥ（動画）ボタン
５    再生ボタン
６    ダイヤルボタン
１１    ＲＯＭ
１２    ＲＡＭ
１３    カメラモジュール
１４    操作検出部
１５    ＧＰＳ測位部
１６    表示部
１７    ネットワークＩ／Ｆ
１８    記憶メディア
１９    時計部
３０    サーバ（情報処理装置）
３１    通信部
３３    特定部
３５    撮影画像データベース
３７    選択部
４０    画像ファイル
４１    画像データ
４３    撮影パラメータ
４５    環境情報
４７    評価データ
５１    満足ボタン
５２    とても満足ボタン
【図１】
2013179742.tif 000003
【図２】
2013179742.tif 000004
【図３】
2013179742.tif 000005
【図４】
2013179742.tif 000006
【図５】
2013179742.tif 000007
【図６】
2013179742.tif 000008
【図７】
2013179742.tif 000009
【図８】
2013179742.tif 000010
【図９】
2013179742.tif 000011
【国際調査報告】
2013179742.tif 000012
2013179742.tif 000013
2013179742.tif 000014
2013179742.tif 000015